(57)【要約】【課題】撮像画像に施す画像処理を設定する際に、他の設定についても簡易な操作で行うこと。【解決手段】撮像装置は、第１の変更画像において位置選択手段が第１の位置を選択している場合には、撮像画像に対して第１の画像処理を行い、第２の位置を選択している場合には、撮像画像に対して第２の画像処理を行い、第１の位置および第２の位置の間の位置を選択している場合には、撮像画像に対して第１の画像処理および第２の画像処理の両方を行う画像処理手段と、第１の画像処理および第２の画像処理とは異なり且つ撮像画像に対する所定の処理用のパラメータを変更するための第２の変更画像を表示手段に表示する第２の表示制御手段と、を備え、所定の処理は、位置選択手段が第１の位置または第２の位置を選択している場合と、第１の位置および第２の位置の間の位置を選択している場合とで異ならせる。【選択図】図１
2015106743.tif 000002
【特許請求の範囲】
【請求項１】
被写体像を撮像する撮像手段と、
前記撮像手段により撮像された撮像画像に対して行う画像処理を変更するための第１の変更画像を表示手段に表示する第１の表示制御手段と、
前記第１の変更画像上の第１の位置と、前記第１の位置から離れた位置にある第２の位置と、前記第１の位置および前記第２の位置の間の位置とのいずれかを選択可能な位置選択手段と、
前記位置選択手段が前記第１の位置を選択した場合には、前記撮像画像に対して第１の画像処理を行い、前記第２の位置を選択した場合には、前記撮像画像に対して第２の画像処理を行い、前記第１の位置および前記第２の位置の間の位置を選択した場合には、前記撮像画像に対して前記第１の画像処理および前記第２の画像処理の両方を行う画像処理手段と、
前記第１の画像処理および前記第２の画像処理とは異なり且つ前記撮像画像に対する所定の処理用のパラメータを変更するための第２の変更画像を表示手段に表示する第２の表示制御手段と、
前記第２の変更画像に対する操作に応じて前記パラメータを変更するパラメータ変更手段と、
前記パラメータ変更手段により変更されたパラメータを用いて、前記所定の処理を行う処理実行手段と、
を備え、
前記所定の処理は、前記位置選択手段が前記第１の位置または前記第２の位置を選択した場合と、前記第１の位置および前記第２の位置の間の位置を選択した場合とで異ならせることを特徴とする撮像装置。
【請求項２】
請求項１に記載の撮像装置において、
前記位置選択手段が前記第１の位置または前記第２の位置を選択している場合には、前記所定の処理は、前記第１の画像処理または前記第２の画像処理として用いる画像処理を変更する処理となることを特徴とする撮像装置。
【請求項３】
請求項１または２に記載の撮像装置において、
前記位置選択手段が前記第１の位置および前記第２の位置の間の位置を選択している場合には、前記画像処理手段は、前記位置選択手段による選択位置に応じて前記第１の画像処理と前記第２の画像処理の比率を変化させ、前記所定の処理は、前記画像処理手段が行う前記第１の画像処理と前記第２の画像処理の比率を変化させる際の変化の仕方を変更する処理となることを特徴とする撮像装置。
【請求項４】
請求項１または２に記載の撮像装置において、
前記位置選択手段が前記第１の位置および前記第２の位置の間の位置を選択している場合には、前記画像処理手段は、前記位置選択手段による選択位置に応じて前記第１の画像処理と前記第２の画像処理の比率を変化させ、前記所定の処理は、前記画像処理手段が行う前記第１の画像処理と前記第２の画像処理の比率を微調整する処理となることを特徴とする撮像装置。
【請求項５】
請求項１または２に記載の撮像装置において、
前記位置選択手段が前記第１の位置および前記第２の位置の間の位置を選択している場合には、前記所定の処理は、前記画像処理手段が行う前記第１の画像処理と前記第２の画像処理のレベルを変更する処理となることを特徴とする撮像装置。
【請求項６】
請求項１〜５のいずれか一項に記載の撮像装置において、
前記位置選択手段は、前記第１の変更画像上において、前記第１の位置および前記第２の位置の間に含まれず且つ前記第１の位置に隣接する第３の位置をさらに選択可能であり、  
前記画像処理手段は、前記位置選択手段が前記第３の位置を選択している場合には、前記撮像画像に対して前記第１の画像処理および前記第２の画像処理のいずれも行わず、
前記所定の処理は、前記位置選択手段が前記第３の位置を選択している場合と、前記第１の位置または前記第２の位置を選択している場合と、前記第１の位置および前記第２の位置の間の位置を選択している場合とで異ならせることを特徴とする撮像装置。
【請求項７】
請求項６に記載の撮像装置において、
前記位置選択手段が前記第３の位置を選択している場合には、前記所定の処理は、前記撮像画像の撮影設定を変更する処理となることを特徴とする撮像装置。
【請求項８】
撮像画像を取得する取得工程と、
前記取得工程により取得された撮像画像に対して行う画像処理を変更するための第１の変更画像を表示手段に表示する第１の表示工程と、
前記第１の変更画像上の第１の位置と、前記第１の位置から離れた位置にある第２の位置と、前記第１の位置および前記第２の位置の間の位置とのいずれかを選択する位置選択工程と、
前記位置選択工程により前記第１の位置が選択された場合には、前記撮像画像に対して第１の画像処理を行い、前記第２の位置が選択された場合には、前記撮像画像に対して第２の画像処理を行い、前記第１の位置および前記第２の位置の間の位置が選択された場合には、前記撮像画像に対して前記第１の画像処理および前記第２の画像処理の両方を行う画像処理工程と、
前記第１の画像処理および前記第２の画像処理とは異なり且つ前記撮像画像に対する所定の処理用のパラメータを変更するための第２の変更画像を表示手段に表示する第２の表示工程と、
前記第２の変更画像に対する操作に応じて前記パラメータを変更するパラメータ変更工程と、
前記パラメータ変更工程により変更されたパラメータを用いて、前記所定の処理を行う処理実行工程と、
を有し、
前記所定の処理は、前記位置選択工程により前記第１の位置または前記第２の位置が選択された場合と、前記第１の位置および前記第２の位置の間の位置が選択された場合とで異ならせることを特徴とする画像処理方法。
【請求項９】
請求項８に記載の画像処理方法をコンピュータに実行させることを特徴とする画像処理プログラム。
【発明の詳細な説明】
【技術分野】
【０００１】
本発明は、撮像装置、画像処理方法および画像処理プログラムに関する。
【背景技術】
【０００２】
使用する画像効果を選択するためのメニューと、選択した画像効果の効果レベルを調整するためのメニューとを表示するデジタルカメラが知られている（特許文献１参照）。
【先行技術文献】
【特許文献】
【０００３】
【特許文献１】特開２０１２−１２４６０８号公報
【発明の概要】
【発明が解決しようとする課題】
【０００４】
上記従来の技術では、使用する画像効果の選択と効果レベルの調整以外の設定については考慮されていないので、たとえば、画像効果の選択と効果レベルの調整以外の設定を行うには別のメニューに切り替えなければならず、ユーザーの操作が煩雑となる恐れがあった。
【課題を解決するための手段】
【０００５】
（１）請求項１に記載の撮像装置は、被写体像を撮像する撮像手段と、撮像手段により撮像された撮像画像に対して行う画像処理を変更するための第１の変更画像を表示手段に表示する第１の表示制御手段と、第１の変更画像上の第１の位置と、第１の位置から離れた位置にある第２の位置と、第１の位置および第２の位置の間の位置とのいずれかを選択可能な位置選択手段と、位置選択手段が第１の位置を選択した場合には、撮像画像に対して第１の画像処理を行い、第２の位置を選択した場合には、撮像画像に対して第２の画像処理を行い、第１の位置および第２の位置の間の位置を選択した場合には、撮像画像に対して第１の画像処理および第２の画像処理の両方を行う画像処理手段と、第１の画像処理および第２の画像処理とは異なり且つ撮像画像に対する所定の処理用のパラメータを変更するための第２の変更画像を表示手段に表示する第２の表示制御手段と、第２の変更画像に対する操作に応じてパラメータを変更するパラメータ変更手段と、パラメータ変更手段により変更されたパラメータを用いて、所定の処理を行う処理実行手段と、を備え、所定の処理は、位置選択手段が第１の位置または第２の位置を選択した場合と、第１の位置および第２の位置の間の位置を選択した場合とで異ならせることを特徴とする。
（２）請求項８に記載の画像処理方法は、撮像画像を取得する取得工程と、取得工程により取得された撮像画像に対して行う画像処理を変更するための第１の変更画像を表示手段に表示する第１の表示工程と、第１の変更画像上の第１の位置と、第１の位置から離れた位置にある第２の位置と、第１の位置および第２の位置の間の位置とのいずれかを選択する位置選択工程と、位置選択工程により第１の位置が選択された場合には、撮像画像に対して第１の画像処理を行い、第２の位置が選択された場合には、撮像画像に対して第２の画像処理を行い、第１の位置および第２の位置の間の位置が選択された場合には、撮像画像に対して第１の画像処理および第２の画像処理の両方を行う画像処理工程と、第１の画像処理および第２の画像処理とは異なり且つ撮像画像に対する所定の処理用のパラメータを変更するための第２の変更画像を表示手段に表示する第２の表示工程と、第２の変更画像に対する操作に応じてパラメータを変更するパラメータ変更工程と、パラメータ変更工程により変更されたパラメータを用いて、所定の処理を行う処理実行工程と、を有し、所定の処理は、位置選択工程により第１の位置または第２の位置が選択された場合と、第１の位置および第２の位置の間の位置が選択された場合とで異ならせることを特徴とする。
（３）請求項９に記載の画像処理プログラムは、請求項８に記載の画像処理方法をコンピュータに実行させることを特徴とする。
【発明の効果】
【０００６】
本発明によれば、撮像画像に施す画像処理を簡単な操作で設定できると共に、他の設定についても簡単な操作で行うことができる。
【図面の簡単な説明】
【０００７】
【図１】本発明の一実施の形態によるデジタルカメラの構成例を説明するブロック図である。
【図２】リング画像を説明する図である。
【図３】リング画像のカーソルの位置に応じた画像処理を説明する図である。
【図４】撮影シーンに応じた画像処理の組合せを説明する図である。
【図５】ダイヤル画像を説明する図である。
【図６】リング画像のカーソルの位置に応じたダイヤル画像の機能を説明する図である。
【図７】２つの画像処理の比率を変化させるための変化曲線を説明する図である。
【図８】クリエイティブモードにおける処理の流れを説明するフローチャートである。
【図９】図８に続く処理の流れを説明するフローチャートである。
【図１０】リング画像のカーソルの位置に応じた画像処理の流れを説明するフローチャートである。
【図１１】ダイヤル画像の設定値に応じた処理の流れを説明するフローチャートである。
【図１２】プログラムの提供の様子を説明する図である。
【発明を実施するための形態】
【０００８】
以下、図面を参照して本発明の一実施形態について説明する。図１は、本実施形態に係るデジタルカメラ１の構成を示すブロック図である。デジタルカメラ１は、撮像光学系１１と、撮像素子１２と、レンズ駆動回路１３と、制御部１４と、操作部材１６と、表示部１７とを備えている。デジタルカメラ１には、例えばメモリカードなどの記録媒体１８が着脱可能である。
【０００９】
撮像光学系１１は、ズームレンズやフォーカシングレンズを含む複数のレンズ群で構成され、被写体像を撮像素子１２の受光面に結像させる。なお、図１を簡単にするため、撮像光学系１１を単レンズとして図示している。
【００１０】
レンズ駆動回路１３は、制御部１４の制御のもと、撮像光学系１１のズームレンズを駆動して焦点距離を調節するとともに、撮像光学系１１のフォーカシングレンズを駆動して焦点調節を行う。
【００１１】
撮像素子１２は、例えばＣＭＯＳ撮像素子などのイメージセンサであり、撮像光学系１１により結像した被写体像を撮像して、得られた画像信号を制御部１４へ出力する。
【００１２】
制御部１４は、表示制御部１４ａと、位置選択部１４ｂと、画像処理部１４ｃと、パラメータ変更部１４ｄと、処理実行部１４ｅとを有する。制御部１４は、ＣＰＵ、メモリ、およびその周辺回路から構成され、メモリに格納された制御プログラムを実行することにより、これらの各部の機能を実現している。各部の機能の内容については、後で詳しく説明する。
【００１３】
操作部材１６は、シャッターボタン１６ａと、表示部１７上に配置されたタッチパネル１６ｂと、を含む。タッチパネル１６ｂは、タッチペンや指などの接触物が接触した接触位置を検出して、制御部１４に接触位置を出力する。また、操作部材１６は、この他、録画ボタン、モード切替ボタン、十字キー、ＯＫボタン、ディスプレイボタンなどを含む。操作部材１６は、ユーザー操作に応じた操作信号を制御部１４へ出力する。
【００１４】
表示部１７は、デジタルカメラ１の背面に搭載された液晶モニタ（背面モニタ）等で構成され、撮像素子１２で撮像された撮像画像や各種設定メニューなどが表示される。
【００１５】
操作部材１６からの操作信号に応じて撮影モードに設定されると、制御部１４は、撮像素子１２に所定のフレームレートでスルー画用の撮像処理を行わせ、撮像素子１２から時系列で得られる各フレーム画像から表示用のフレーム画像を生成して表示部１７に出力する。これによって表示部１７には、スルー画がリアルタイムで表示される。
【００１６】
撮影モードにおいてシャッターボタン１６ａが全押し操作されて静止画の撮影が指示されると、制御部１４は、撮像素子１２に静止画用の撮像処理を行わせ、撮像素子１２から取得した画像信号に対して所定の画像処理を行って静止画データを生成し、ＪＰＥＧなどの所定の方式により圧縮処理を行って、記録媒体１８に記録する。
【００１７】
また、操作部材１６からの操作信号に応じて再生モードに設定されると、制御部１４は、記録媒体１８に記録された静止画データまたは動画データを読み出して再生し、表示部１７に表示する。
【００１８】
本実施形態のデジタルカメラ１では、撮影モードとして、通常モードの他に、クリエイティブモードが設けられている。以下、このクリエイティブモードについて説明する。
【００１９】
クリエイティブモードにおいて、制御部１４の表示制御部１４ａは、図２に示すように、撮像画像に対して行う画像処理を変更するための画像（以下、リング画像と表記する）５０を表示部１７に表示する。リング画像５０は、リング５１とカーソル５２とから構成される。カーソル５２は、リング５１上において、制御部１４の位置選択部１４ｂにより現在選択されている位置を示す。位置選択部１４ｂは、タッチパネル１６ｂ上でのカーソル５２に対するドラッグ操作（カーソル５２の表示位置を指でタッチした後、タッチしたまま指を移動する操作）に応じて、選択位置（カーソル５２の表示位置）をリング５１に沿って移動させる。
【００２０】
制御部１４の画像処理部１４ｃは、位置選択部１４ｂによる選択位置（すなわちカーソル５２の表示位置）に応じて、リング画像５０に設定された４つの画像処理（以下、第１画像処理〜第４画像処理と表記する）の中から１つまたは２つの画像処理を選択する。画像処理部１４ｃは、表示部１７に表示されるスルー画に対して、上記選択した画像処理を行う。
【００２１】
リング画像５０には、リング５１の頂上地点Ｐ０から時計周りに第０位置〜第６５位置の６６か所の位置が設定されており、その位置を示す目盛がリング５１の内側に表示されている。リング５１の頂上地点Ｐ０が第０位置であり、その右隣の位置Ｐ１が第１位置である。第０位置Ｐ０から時計周りに９０度離れた位置Ｐ１７が第１７位置である。第１位置Ｐ１から第１７位置Ｐ１７の間には、第２位置〜第１６位置の１５か所の位置が等間隔に設定される。第０位置Ｐ０から１８０度離れた位置Ｐ３３が第３３位置である。第１７位置Ｐ１７から第３３位置Ｐ３３の間には、第１８位置〜第３２位置の１５か所の位置が等間隔に設定される。第０位置Ｐ０から時計周りに２７０度離れた位置Ｐ４９が第４９位置である。第３３位置Ｐ３３から第４９位置Ｐ４９の間には、第３４位置〜第４８位置の１５か所の位置が等間隔に設定される。第０位置Ｐ０の左隣の位置Ｐ６５は第６５位置である。第４９位置Ｐ４９から第６５位置Ｐ６５の間には、第５０位置〜第６４位置の１５か所の位置が等間隔に設定される。図３は、各位置において選択される画像処理を説明する図である。図３では、０〜６５の番号が第０位置〜第６５位置を示し、番号の下にその番号が示す位置において選択される画像処理を記載している。
【００２２】
クリエイティブモードを開始した時点では、リング５１の頂上地点（第０位置）Ｐ０にカーソル５２が表示される。すなわち、位置選択部１４ｂが第０位置を選択した状態となる。このとき、画像処理部１４ｃは、スルー画に対して第１画像処理〜第４画像処理を行わない。したがって、表示部１７には、第１画像処理〜第４画像処理のいずれも施していない状態のスルー画、すなわち元画像が表示される。
【００２３】
カーソル５２が第０位置Ｐ０の右隣の第１位置Ｐ１にある場合、すなわち位置選択部１４ｂが第１位置Ｐ１を選択している場合には、画像処理部１４ｃは第１画像処理のみを（すなわち第１画像処理を１００％の比率で）撮像画像に施す。したがって、カーソル５２が第０位置Ｐ０から第１位置Ｐ１に時計周りに移動すると、表示部１７に表示されるスルー画は、元画像の状態から第１画像処理のみを施した状態へと変化する。
【００２４】
カーソル５２が第０位置Ｐ０から時計周りに９０度離れた第１７位置Ｐ１７にある場合、すなわち位置選択部１４ｂが第１７位置Ｐ１７を選択している場合には、画像処理部１４ｃは第２画像処理のみを（すなわち第２画像処理を１００％の比率で）撮像画像に施す。したがって、カーソル５２が第１位置Ｐ１から第１７位置Ｐ１７へと時計周りに移動すると、表示部１７に表示されるスルー画は、第１画像処理のみを施した状態から第２画像処理のみを施した状態へと変化する。このとき、表示部１７に表示されるスルー画は、第１画像処理のみを施した状態から第２画像処理のみを施した状態へ１６段階で徐々に遷移するようになっている。すなわち、カーソル５２が第２位置から第１６位置のいずれかにある間（位置選択部１４ｂが第１位置Ｐ１と第１７位置Ｐ１７との間の位置を選択している場合には）、画像処理部１４ｃは第１画像処理および第２画像処理の両方を撮像画像に対して行う（すなわち第１画像処理および第２画像処理を撮像画像に重ねがけする）。
【００２５】
このとき画像処理部１４ｃは、カーソル５２の位置（すなわち位置選択部１４ｂによる選択位置）に応じて、第１画像処理と第２画像処理の比率を変化させる。具体的には、画像処理部１４ｃは、カーソル５２の位置が第１７位置Ｐ１７へ向かう方向に移動する場合には、第１画像処理の比率を下げると共に第２画像処理の比率を上げるように変化させる。一方、画像処理部１４ｃは、カーソル５２の位置が第１位置Ｐ１へ向かう方向に移動する場合には、第１画像処理の比率を上げると共に第２画像処理の比率を下げるように変化させる。たとえば、画像処理部１４ｃは、カーソル５２が第５位置にあるときは、第１画像処理を７５％、第２画像処理を２５％の比率で、撮像画像に施す。また、画像処理部１４ｃは、カーソル５２が第９位置にあるときは、第１画像処理を５０％、第２画像処理を５０％の比率で、撮像画像に施す。また、画像処理部１４ｃは、カーソル５２が第１３位置にあるときは、第１画像処理を２５％、第２画像処理を７５％の比率で、撮像画像に施す。なお、第１画像処理を７５％の比率で行うとは、たとえば、撮像画像に第１画像処理のみを施したとき（すなわち第１画像処理を１００％施したとき）における撮像画像の変化の度合いを１００％としたときに、その度合いの７５％程度撮像画像が変化するように第１画像処理を施すことである。
【００２６】
カーソル５２が第０位置Ｐ０から１８０度離れた第３３位置Ｐ３３にある場合、すなわち位置選択部１４ｂが第３３位置Ｐ３３を選択している場合には、画像処理部１４ｃは第３画像処理のみを撮像画像に施す。したがって、カーソル５２が第１７位置Ｐ１７から第３３位置Ｐ３３へと時計周りに移動すると、表示部１７に表示されるスルー画は、第２画像処理のみを施した状態から第３画像処理のみを施した状態へと変化する。
【００２７】
このとき、表示部１７に表示されるスルー画は、第２画像処理のみを施した状態から第３画像処理のみを施した状態へ１６段階で徐々に遷移するようになっている。すなわち、カーソル５２が第１８位置から第３２位置にある間（すなわち位置選択部１４ｂが第１７位置Ｐ１７と第３３位置Ｐ３３との間の位置を選択している場合には）、画像処理部１４ｃは第２画像処理および第３画像処理の両方を撮像画像に施す。このとき画像処理部１４ｃは、カーソル５２の位置が第１７位置Ｐ１７から第３３位置Ｐ３３へ向かう方向に移動する場合には、第２画像処理の比率を下げると共に第３画像処理の比率を上げるように変化させる。一方、画像処理部１４ｃは、カーソル５２の位置が第３３位置Ｐ３３から第１７位置Ｐ１７へ向かう方向に移動する場合には、第２画像処理の比率を上げると共に第３画像処理の比率を下げるように変化させる。
【００２８】
カーソル５２が第０位置Ｐ０から時計周りに２７０度離れた第４９位置Ｐ４９にある場合、すなわち、位置選択部１４ｂが第４９位置Ｐ４９を選択している場合には、画像処理部１４ｃは第４画像処理のみを撮像画像に施す。したがって、カーソル５２が第３３位置Ｐ３３から第４９位置Ｐ４９へと時計周りに移動されると、表示部１７に表示されるスルー画は、第３画像処理のみを施した状態から第４画像処理のみを施した状態へと変化する。
【００２９】
このとき、表示部１７に表示されるスルー画は、第３画像処理のみを施した状態から第４画像処理のみを施した状態へ１６段階で徐々に遷移するようになっている。すなわち、カーソル５２が第３４位置から第４８位置にある間（位置選択部１４ｂが第３３位置Ｐ３３と第４９位置Ｐ４９との間の位置を選択している場合には）、画像処理部１４ｃは第３画像処理および第４画像処理の両方を撮像画像に施す。このとき画像処理部１４ｃは、カーソル５２の位置が第３３位置Ｐ３３から第４９位置Ｐ４９へ向かう方向に移動する場合には、第３画像処理の比率を下げると共に第４画像処理の比率を上げるように変化させる。一方、画像処理部１４ｃは、カーソル５２の位置が第４９位置Ｐ４９から第３３位置Ｐ３３へ向かう方向に移動する場合には、第３画像処理の比率を上げると共に第４画像処理の比率を下げるように変化させる。
【００３０】
カーソル５２が第０位置Ｐ０の左隣の第６５位置Ｐ６５にある場合、すなわち、位置選択部１４ｂが第６５位置Ｐ６５を選択している場合には、画像処理部１４ｃは第１画像処理のみを撮像画像に施す。したがって、カーソル５２が第４９位置Ｐ４９から第６５位置Ｐ６５へと時計周りに移動すると、表示部１７に表示されるスルー画は、第４画像処理のみを施した状態から第１画像処理のみを施した状態へと変化する。
【００３１】
このとき、表示部１７に表示されるスルー画は、第４画像処理のみを施した状態から第１画像処理のみを施した状態へ１６段階で徐々に遷移するようになっている。すなわち、カーソル５２が第５０位置から第６４位置にある間（位置選択部１４ｂが第４９位置Ｐ４９と第６５位置Ｐ６５との間の位置を選択している場合には）、画像処理部１４ｃは第４画像処理および第１画像処理の両方を撮像画像に施す。このとき画像処理部１４ｃは、カーソル５２の位置が第４９位置Ｐ４９から第６５位置Ｐ６５へ向かう方向に移動する場合には、第４画像処理の比率を下げると共に第１画像処理の比率を上げるように変化させる。一方、画像処理部１４ｃは、カーソル５２の位置が第６５位置Ｐ６５から第４９位置Ｐ４９へ向かう方向に移動する場合には、第４画像処理の比率を上げると共に第１画像処理の比率を下げるように変化させる。
【００３２】
また、カーソル５２が第６５位置Ｐ６５から第０位置Ｐ０へと時計周りに移動すると、表示部１７に表示するスルー画は、第１画像処理のみ施した状態から元画像の状態へと戻る。
【００３３】
このように、カーソル５２が第０位置Ｐ０から時計周りに１回転すると、撮像画像に施される画像処理が、元画像から、第１画像処理、第２画像処理、第３画像処理、第４画像処理の順で連続的に変更された後、再度第１画像処理に戻って、元画像に戻る。また、カーソル５２が反時計回りに１回転する場合は、撮像画像に施される画像処理は、上述した時計周りに１回転する場合と逆の順で変化する。また、必ずしもカーソル５２が１回転しなくてもよく、たとえば、カーソル５２が時計周りに半周回転した後に反時計回りに移動して、画像処理の変化を戻すことも可能となっている。
【００３４】
次に、リング画像５０に設定される第１画像処理〜第４画像処理の内容について、詳しく説明する。なお、本説明において、画像処理には、たとえば彩度やコントラスト、ホワイトバランスなどのパラメータを変えることで画作りを行う処理や、たとえばフィルタをかけてぼかしたり周辺を暗くしてトイカメラ風にしたりするなど画像効果をかける処理が含まれるとする。クリエイティブモードでは、撮影シーンを判別するシーン判別処理を行い、判別した撮影シーンに応じた４つの画像処理を、第１画像処理〜第４画像処理としてリング画像５０に設定するようになっている。すなわち、判別される撮影シーンによって、リング画像５０に設定される第１画像処理〜第４画像処理の内容が異なっている。
【００３５】
判別される撮影シーンとしては、人物を撮影するシーンである「ポートレート」、被写体に接近して撮影するシーンである「接写」、風景を撮影するシーンである「風景」、「ポートレート」、「接写」、「風景」のいずれでもないシーンである「その他」の４種類である。なお、判別される撮影シーンの種類は一例であり、この他種々の撮影シーンを判別してもよい。撮影シーンの判別方法は、公知の方法を用いるものとする。制御部１４は、たとえば、撮像素子１２からの画像信号に基づく情報（輝度や色バランス（Ｒ／Ｇ比、Ｂ／Ｇ比）など）や、カメラ設定情報（撮像光学系１１の焦点距離や撮影倍率など）に基づいて撮影シーンを判別する。
【００３６】
図４は、撮影シーンに応じた第１画像処理〜第４画像処理の組合せを説明する図である。デジタルカメラ１では、撮影シーンごとに、それぞれの撮影シーンに適した４種類の画像処理が第１画像処理〜第４画像処理として予め設定されている。たとえば、撮影シーン「人物」用のリング画像５０ｐには、第１画像処理として「ポートレート」、第２画像処理として「モノクローム」、第３画像処理として「ハイキー」、第４画像処理として「クロスプロセス（Ｒ）」が設定される。撮影シーン「接写」用のリング画像５０ｎには、第１画像処理として「ビビッド」、第２画像処理として「ハイキー」、第３画像処理として「トイカメラ」、第４画像処理として「セレクトカラー」が設定される。撮影シーン「風景」用のリング画像５０ｇには、第１画像処理として「クロスプロセス（Ｂ）」、第２画像処理として「風景」、第３画像処理として「フィルターモノクロ（セピア）」、第４画像処理として「アヴァンギャルド」が設定される。撮影シーン「その他」用のリング画像５０ｓには、第１画像処理として「アヴァンギャルド」、第２画像処理として「モノクローム」、第３画像処理として「トイカメラ」、第４画像処理として「クロスプロセス（Ｇ）」が設定される。なお、図４では説明のため、撮影シーンおよび第１画像処理〜第４画像処理の内容を示すテキストを記載しているが、実際の表示部１７の表示画面では、当該テキストは表示されず、リング５１とカーソル５２のみが表示される。すなわち、リング画像５０ｐ、５０ｎ、５０ｇ、５０ｓは、表示部１７の表示画面ではどの撮影シーンでも同じ画像として（すなわち同じ表示内容で）表示される。
【００３７】
「ポートレート」は、人物の肌をきれいに見せる画作りを行うための画像処理である。「モノクローム」は、白黒の濃淡のみの画作りを行うための画像処理である。「ハイキー」は、画面全体が明るく陰影の少ない画作りを行うための画像処理である。「クロスプロセス（Ｒ）」、「クロスプロセス（Ｇ）」、および「クロスプロセス（Ｂ）」は、クロスプロセス（ポジフィルムを使いネガ用の現像を行う銀塩写真の手法）を行ったような画像効果を得るための画像処理である。なお、「クロスプロセス（Ｒ）」では赤みの強い画像が得られ、「クロスプロセス（Ｇ）」では緑みの強い画像が得られ、「クロスプロセス（Ｂ）」では青みの強い画像が得られる。「ビビッド」は、コントラストが強調された色鮮やかな画作りを行うための画像処理である。「トイカメラ」は、トイカメラで撮影したような画像効果を得るための画像処理である。「セレクトカラー」は、特定の色だけを残してその他をモノクロに変化した画像効果を得るための画像処理である。「風景」は、自然や街並みなどの景観に適した画作りを行うための画像処理である。「フィルターモノクロ（セピア）」は、セピア色の濃淡のみの画作りを行うための画像処理である。「アヴァンギャルド」は、「ビビッド」よりもさらにコントラストと彩度を上げて独特の画作りを行うための画像処理である。
【００３８】
なお、リング画像５０に第１画像処理〜第４画像処理として設定する画像処理の組合せの情報は、撮影シーンごとにデジタルカメラ１内の不図示のメモリに予め記憶されており、この情報とシーン判別結果に基づいて、第１画像処理〜第４画像処理がリング画像５０に設定される。
【００３９】
また、クリエイティブモードにおいて、表示制御部１４ａは、図５に示すようなダイヤル画像６０を表示部１７に表示する。ダイヤル画像６０は、「−３」〜「＋３」の数値が表示されたダイヤル６１と、矢印マーク６２とから構成される。制御部１４のパラメータ変更部１４ｄは、タッチパネル１６ｂ上でのダイヤル６１に対するドラッグ操作に応じてダイヤル６１を回転させ、ダイヤル６１において矢印マーク６２の最も近傍の数値を、ダイヤル画像６０の設定値とする。
【００４０】
次に、ダイヤル画像６０の機能について、図６を用いて説明する。図６に示すように、リング画像５０においてカーソル５２の位置が第０位置Ｐ０にある状態では、ダイヤル画像６０の機能は、デジタルカメラ１の撮影設定機能となる。撮影設定とは、たとえば、明るさ設定（すなわち露出設定）またはフォーカス位置の設定である。
【００４１】
ダイヤル画像６０の機能が露出設定機能である場合、制御部１４の処理実行部１４ｅは、ダイヤル画像６０の設定値に応じて、撮像画像の露出を設定する露出設定処理を実行する。たとえば、設定値が「０」である場合、処理実行部１４ｅは撮像画像の露出設定を適正露出とする。設定値がプラス（「＋１」，「＋２」，「＋３」）である場合は、処理実行部１４ｅは撮像画像の露出設定を適正露出よりも露出オーバーとし、設定値が大きいほど明るくなるように設定する。一方、設定値がマイナス（「−１」，「−２」，「−３」）である場合は、処理実行部１４ｅは撮像画像の露出設定を適正露出よりも露出アンダーとし、設定値が小さい（すなわち絶対値が大きい）ほど暗くなるように設定する。
【００４２】
ダイヤル画像６０の機能がフォーカス位置設定機能である場合、制御部１４の処理実行部１４ｅは、ダイヤル画像６０の設定値に応じて、撮像画像のフォーカス位置を設定するフォーカス位置設定処理を実行する。たとえば、設定値が「０」である場合、処理実行部１４ｅは、たとえば被写体検出処理によって検出された被写体にピントが合うようにフォーカス位置を設定する。設定値がプラス（「＋１」，「＋２」，「＋３」）である場合は、処理実行部１４ｅは、フォーカス位置を設定値が「０」の場合よりも後ピン側とし、設定値が大きいほどより後ピン側となるように設定する。一方、設定値がマイナス（「−１」，「−２」，「−３」）である場合は、処理実行部１４ｅは、フォーカス位置を設定値が「０」の場合よりも前ピン側とし、設定値が大きいほどより前ピン側となるように設定する。
【００４３】
上述したように、リング画像５０においてカーソル５２が第０位置Ｐ０にある状態では、表示部１７に表示されるスルー画が元画像となる。この状態で、ユーザーがダイヤル画像６０を操作して撮影設定を変更すると、スルー画として表示される元画像にその変更が反映される。したがって、ユーザーは、当該変更の結果をスルー画で確認しながら、ダイヤル画像６０を操作して、撮影設定を好みの設定に変更することができる。
【００４４】
なお、カーソル５２が第０位置Ｐ０にあるときのダイヤル画像６０の機能を、露出設定機能またはフォーカス位置設定機能のどちらにするかについては、たとえば、予めデジタルカメラ１の設定メニューなどでユーザーに設定させるようにしてもよい。
【００４５】
また、リング画像５０においてカーソル５２の位置が第１位置Ｐ１にある状態では、ダイヤル画像６０の機能は、リング画像５０に第１画像処理として設定する画像処理を切り替える機能となる。処理実行部１４ｅは、ダイヤル画像６０の設定値に応じて第１画像処理として用いる画像処理を変更する処理を行う。たとえば、撮影シーンが「人物」と判別されたとき、リング画像５０において、第１画像処理は「ポートレート」に設定されている。この場合、処理実行部１４ｅは、設定値が「０」のときは、第１画像処理として「ポートレート」を設定する（すなわち第１画像処理として用いる画像処理を変更しない）。また、処理実行部１４ｅは、設定値が「＋１」のときは、第１画像処理として「ビビッド」を選択し、設定値が「＋２」のときは第１画像処理として「トイカメラ」を選択し、設定値が「＋３」のときは第１画像処理として「セレクトカラー」を設定する。また、処理実行部１４ｅは、設定値が「−１」のときは第１画像処理として「クロスプロセス（Ｂ）」を選択し、設定値が「−２」のときは第１画像処理として「フィルターモノクロ（セピア）」を選択し、設定値が「−３」のときは第１画像処理として「アヴァンギャルド」を設定する。すなわち、処理実行部１４ｅは、設定値が「０」以外のときは、第１画像処理として用いる画像処理を変更する。
【００４６】
上述したように、リング画像５０においてカーソル５２が第１位置Ｐ１にある状態では、第１画像処理のみが施されたスルー画が表示部１７に表示される。この状態で、ユーザーがダイヤル画像６０を操作して、リング画像５０の第１画像処理として用いる画像処理を変更すると、スルー画にその変更が反映される。したがってユーザーは、当該変更の結果をスルー画で確認しながら、ダイヤル画像６０を操作して、リング画像５０に第１画像処理として設定する画像処理を好みの画像処理に変更することができる。
【００４７】
また、リング画像５０においてカーソル５２の位置が第２位置〜第１６位置（すなわち第１位置Ｐ１と第１７位置Ｐ１７の間）にある状態では、ダイヤル画像６０の機能は、画像処理部１４ｃがカーソル５２の位置に応じて第１画像処理と第２画像処理の比率を変化させる際の変化の仕方を変更する機能となる。処理実行部１４ｅは、ダイヤル画像６０の設定値に応じて、第１画像処理と第２画像処理の比率の変化の仕方を変更する処理を行う。
【００４８】
図７は、第１画像処理および第２画像処理の比率を変化させるための変化曲線を説明する図である。ここでは３種類の変化曲線Ｋ０，Ｋ＋，Ｋ−が用意されている。図６において、横軸はリング画像５０上での位置を示す。縦軸は、変化曲線から上側が第１画像処理の比率を示し、変化曲線から下側が第２画像処理の比率を示す。どの変化曲線においても、第１位置Ｐ１では第１画像処理が１００％で第２画像処理が０％であり、第１７位置Ｐ１７では第１画像処理が０％で第２画像処理が１００％である。
【００４９】
処理実行部１４ｅは、設定値が「０」のときは、第１画像処理および第２画像処理の比率を変化曲線Ｋ０に沿って変化させる。変化曲線Ｋ０は直線である。したがって、変化曲線Ｋ０では、カーソル５２が第１位置Ｐ１から第１７位置Ｐ１７まで移動する際、第１画像処理の比率は１００％から０％まで直線的に変化し、第２画像処理の比率は０％から１００％まで直線的に変化する。すなわち、カーソル５２の移動距離に対するスルー画の変化の度合いは一定となっている。
【００５０】
処理実行部１４ｅは、設定値がプラス（「＋１」，「＋２」，「＋３」）のときは、第１画像処理および第２画像処理の比率を変化曲線Ｋ＋に沿って変化させる。変化曲線Ｋ＋は、図７において上側に膨らんだ曲線である。したがって、変化曲線Ｋ＋では、カーソル５２が第１位置Ｐ１から第１７位置Ｐ１７まで移動する際、変化曲線Ｋ０に比べて第１画像処理の比率が低くなる（つまり第２画像処理の比率が高くなる）のが速くなっている。すなわち、カーソル５２が第１位置Ｐ１の近くにいるほどカーソル５２の移動距離に対するスルー画の変化の度合いが大きく、第１７位置Ｐ１７の近くにいるほどカーソル５２の移動距離に対するスルー画の変化の度合いが小さくなっている。
【００５１】
処理実行部１４ｅは、設定値がマイナス（「−１」，「−２」，「−３」）のときは、第１画像処理および第２画像処理の比率を変化曲線Ｋ−に沿って変化させる。変化曲線Ｋ−は、図７において下側に膨らんだ曲線である。したがって、変化曲線Ｋ−では、カーソル５２が第１位置Ｐ１から第１７位置Ｐ１７まで移動する際、変化曲線Ｋ０に比べて第１画像処理の比率が低くなる（つまり第２画像処理の比率が高くなる）のが遅くなっている。すなわち、カーソル５２が第１位置Ｐ１の近くにいるほどカーソル５２の移動距離に対するスルー画の変化の度合いが小さく、第１７位置Ｐ１７の近くにいるほどカーソル５２の移動距離に対するスルー画の変化の度合いが大きくなっている。
【００５２】
このように、リング画像５０においてカーソル５２が第２位置から第１６位置にある状態では、ユーザーは、ダイヤル画像６０を操作して、第１画像処理と第２画像処理の比率の変化の仕方を、所望に応じて調整することができる。
【００５３】
また、リング画像５０においてカーソル５２の位置が第１７位置Ｐ１７にある状態では、ダイヤル画像６０の機能は、リング画像５０に第２画像処理として設定する画像処理を変更する機能となる。すなわち、処理実行部１４ｅは、ダイヤル画像６０の設定値に応じて、リング画像５０に第２画像処理として設定する画像処理を変更する処理を行う。具体的な処理は、カーソル５２の位置が第１位置Ｐ１にある場合と同様であるため、説明を省略する。
【００５４】
また、リング画像５０においてカーソル５２の位置が第１８位置〜第３２位置にある状態では、ダイヤル画像６０の機能は、画像処理部１４ｃがカーソル５２の位置に応じて第２画像処理と第３画像処理の比率を変化させる際の変化の仕方を変更する機能となる。すなわち、処理実行部１４ｅは、ダイヤル画像６０の設定値に応じて、第２画像処理と第３画像処理の比率の変化の仕方を変更する処理を行う。具体的な処理は、カーソル５２の位置が第２位置〜第１６位置にある場合と同様であるため、説明を省略する。
【００５５】
また、リング画像５０においてカーソル５２の位置が第３３位置Ｐ３３にある状態では、ダイヤル画像６０の機能は、リング画像５０に第３画像処理として設定する画像処理を変更する機能となる。すなわち、処理実行部１４ｅは、ダイヤル画像６０の設定値に応じて、リング画像５０に第３画像処理として設定する画像処理を変更する処理を行う。具体的な処理は、カーソル５２の位置が第１位置Ｐ１にある場合と同様であるため、説明を省略する。
【００５６】
また、リング画像５０においてカーソル５２の位置が第３４位置〜第４８位置にある状態では、ダイヤル画像６０の機能は、画像処理部１４ｃがカーソル５２の位置に応じて第３画像処理と第４画像処理の比率を変化させる際の変化の仕方を変更する機能となる。すなわち、処理実行部１４ｅは、ダイヤル画像６０の設定値に応じて、第３画像処理と第４画像処理の比率の変化の仕方を変更する処理を行う。具体的な処理は、カーソル５２の位置が第２位置〜第１６位置にある場合と同様であるため、説明を省略する。
【００５７】
また、リング画像５０においてカーソル５２の位置が第４９位置Ｐ４９にある状態では、ダイヤル画像６０の機能は、リング画像５０に第４画像処理として設定する画像処理を変更する機能となる。すなわち、処理実行部１４ｅは、ダイヤル画像６０の設定値に応じて、リング画像５０に第４画像処理として設定する画像処理を変更する処理を行う。具体的な処理は、カーソル５２の位置が第１位置Ｐ１にある場合と同様であるため、説明を省略する。
【００５８】
また、リング画像５０においてカーソル５２の位置が第５０位置〜第６４位置にある状態では、ダイヤル画像６０の機能は、画像処理部１４ｃがカーソル５２の位置に応じて第４画像処理と第１画像処理の比率を変化させる際の変化の仕方を変更する機能となる。すなわち、処理実行部１４ｅは、ダイヤル画像６０の設定値に応じて、第４画像処理と第１画像処理の比率の変化の仕方を変更する処理を行う。具体的な処理は、カーソル５２の位置が第２位置〜第１６位置にある場合と同様であるため、説明を省略する。
【００５９】
また、リング画像５０においてカーソル５２の位置が第６５位置Ｐ６５にある状態では、ダイヤル画像６０の機能は、リング画像５０に第１画像処理として設定する画像処理を変更する機能となる。すなわち、処理実行部１４ｅは、ダイヤル画像６０の設定値に応じて、リング画像５０に第１画像処理として設定する画像処理を変更する処理を行う。具体的な処理は、カーソル５２の位置が第１位置Ｐ１にある場合と同様であるため、説明を省略する。
【００６０】
以上のように、ダイヤル画像６０の機能は、リング画像５０のカーソル５２の位置、すなわち位置選択部１４ｂによる選択位置に応じて異なっている。
【００６１】
次に、クリエイティブモードにおいて、制御部１４が実行する処理の流れを、図８および図９に示すフローチャートを用いて説明する。撮影モードがクリエイティブモードに切り替えられると、制御部１４は、スルー画の表示を開始すると共に、不図示のメモリに記録された図８および図９の処理を行うプログラムを起動して、当該処理を開始する。
【００６２】
ステップＳ１において、表示制御部１４ａは、リング画像５０の表示を開始して、ステップＳ２へ進む。
【００６３】
ステップＳ２において、制御部１４は、撮影シーンを判別するシーン判別処理を開始して、ステップＳ３へ進む。なお、シーン判別処理は、所定時間おきに繰り返し行う。また、制御部１４は、シーン判別処理を適切に行うために、繰り返しＡＦ（Auto Focus）処理を行って、任意の被写体にピントを合わせる。
【００６４】
ステップＳ３において、制御部１４は、タッチパネル１６ｂを介して、リング画像５０のカーソル５２に対するドラッグ操作が行われたか否かを判定する。当該ドラッグ操作が行われていない場合は、制御部１４は、ステップＳ３を否定判定し、ステップＳ３の処理を繰り返すと共にシーン判別処理を継続する。一方、当該ドラッグ操作が行われた場合には、制御部１４は、ステップＳ３を肯定判定し、ステップＳ４へ進む。
【００６５】
ステップＳ４において、制御部１４は、シーン判別処理を停止して、上記ドラッグ操作が行われた時点で判別された撮影シーンを、撮影シーンの判別結果として確定する。そして制御部１４は、図４を用いて上述したように、当該確定した撮影シーンに応じた第１画像処理〜第４画像処理をリング画像５０に設定する。
【００６６】
また、制御部１４は、ステップＳ４で確定した撮影シーンに応じて撮像光学系１１の絞り値を制御する。本実施形態では、撮影シーンごとに、最適な絞り値が予め対応付けられてデジタルカメラ１内の不図示のメモリに記憶されている。たとえば、撮影シーン「人物」に対しては開放絞り値が対応付けられ、撮影シーン「風景」に対しては絞り値Ｆ８が対応づけられている。制御部１４は、上記確定した撮影シーンに対応付けられた絞り値となるように、撮像光学系１１の絞り値を制御する。これ以降、制御部１４は、スルー画用および静止画用の撮像処理において、絞り優先モードで露出制御（シャッタースピードやＩＳＯ感度などの制御）を行う。
【００６７】
ステップＳ５において、制御部１４は、上述したように、リング画像５０のカーソル５２の位置に応じた画像処理を撮像画像に施す処理を行う。この処理の流れを、図１０に示すフローチャートを用いて説明する。ステップＳ５１において、位置選択部１４ｂは、リング画像５０のカーソル５２に対するドラッグ操作に応じて、カーソル５２の位置（すなわち選択位置）を移動させ、ステップＳ５２へ進む。
【００６８】
ステップＳ５２において、画像処理部１４ｃは、上記図２および図３を用いて説明したように、カーソル５２の位置に応じた画像処理を撮像画像に施して、ステップＳ５３へ進む。
【００６９】
ステップＳ５３において、表示制御部１４ａは、画像処理部１４ｃによって画像処理が施された撮像画像をスルー画として表示部１７に表示する。その後、制御部１４は、図１０の処理を終了して、図８のステップＳ６に進む。
【００７０】
ステップＳ６において、制御部１４は、上述したように、ダイヤル画像６０の設定値に応じた処理を行う。この処理の流れを図１１に示すフローチャートを用いて説明する。ステップＳ６１において、パラメータ変更部１４ｄは、ダイヤル画像６０のダイヤル６１に対するドラッグ操作に応じてダイヤル６１を回転させて、ダイヤル画像６０の設定値を変更して、ステップＳ６２に進む。
【００７１】
ステップＳ６２において、処理実行部１４ｅは、上記図６を用いて説明したように、リング画像５０のカーソル５２の位置、すなわち位置選択部１４ｂが選択している位置に対応する処理を、ダイヤル画像６０の設定値に応じて行う。その後、制御部１４は、図１１の処理を終了して、図９のステップＳ７に進む。
【００７２】
ステップＳ７において、制御部１４は、シャッターボタンが半押し操作されたか否かを判定する。シャッターボタンが半押し操作されていない場合は、制御部１４は、ステップＳ７を否定判定してステップＳ５に戻る。すなわち、制御部１４は、シャッターボタンが半押し操作されるまでは、リング画像５０のカーソル５２の位置に応じた画像処理（図１０）とダイヤル画像６０の設定値に応じた処理（図１１）を繰り返し行う。一方、シャッターボタンが半押し操作された場合には、制御部１４は、ステップＳ７を肯定判定し、ステップＳ８へ進む。
【００７３】
ステップＳ８において、画像処理部１４ｃは、シャッターボタンが半押し操作された時点でリング画像５０のカーソル５２の位置に応じて設定される画像処理（すなわちその時点で撮像画像に施されている画像処理）を、静止画に施す画像処理として確定する。そして、表示制御部１４ａは、リング画像５０およびダイヤル画像６０を非表示にして、ステップＳ９へ進む。
【００７４】
ステップＳ９において、制御部１４は、ピント位置を固定するシングルＡＦモードと動く被写体にピントを追従させるコンティニュアスＡＦモードとを自動で切り替える自動モード切替ＡＦモードでＡＦ処理を行い、ステップＳ１０へ進む。自動モード切替ＡＦモードでは、シャッターボタンの半押し操作時点で被写体にピントを合わせ、ピント位置をいったん固定する。その後、被写体が動き出して、デジタルカメラ１と被写体の距離が変わった場合には、自動的にコンティニュアスＡＦモードに切り替わり、被写体にピントを合わせ続ける。
【００７５】
ステップＳ１０において、シャッターボタンが全押し操作されたか否かを判定する。シャッターボタンが全押し操作されていない場合は、制御部１４は、ステップＳ１０を否定判定しステップＳ１０の処理を繰り返す。一方、シャッターボタンが全押し操作された場合には、制御部１４は、ステップＳ１０を肯定判定し、ステップＳ１１へ進む。
【００７６】
ステップＳ１１において、制御部１４は、撮像素子１２に静止画用の撮像処理を行わせる。画像処理部１４ｃは、当該撮像処理により得られた撮像画像データに対して、ステップＳ８で確定した画像処理を施す。そして、制御部１４は、当該画像処理が施された撮像画像データを、静止画データとして記録媒体１８に記録して、ステップＳ１２へ進む。
【００７７】
ステップＳ１２において、制御部１４は、スルー画の表示と、リング画像５０およびダイヤル画像６０の表示とを再度開始して、図８のステップＳ５に戻る。すなわち、いったん静止画撮影が終了した後においても、リング画像５０に設定される第１画像処理〜第４画像処理については、ステップＳ４での設定が保持される。これは、静止画撮影のたびに、リング画像５０に設定される第１画像処理〜第４画像処理が変化すると、ユーザーにとってわかりにくくなることを考慮したためである。
【００７８】
リング画像５０の表示中において、ユーザーが現在リング画像５０に設定されている第１画像処理〜第４画像処理を変更したい場合には、操作部材１６のＯＫボタンを押下することで、第１画像処理〜第４画像処理のリセット操作を行えるようになっている。リング画像５０の表示中にＯＫボタンが押下されると、制御部１４は、リング画像５０における第１画像処理〜第４画像処理の設定を解除（リセット）する。また、位置選択部１４ｂは、カーソル５２の位置を初期位置（第０位置）Ｐ０に戻す。その後、制御部１４は図８に示す処理をステップＳ２から再度開始する。
【００７９】
なお、クリエイティブモードにおいて、リング画像５０のカーソル５２に対するドラッグ操作が一度も行われないままシャッターボタンが半押し操作された場合には、制御部１４は、リング画像５０を非表示にして、通常モードと同様の処理を行う。すなわち、制御部１４は、上記自動モード切替ＡＦモードで、ＡＦ処理を行う。その後、シャッターボタンが全押し操作されると、制御部１４は、撮像素子１２に静止画用の撮像処理を行わせ、得られた撮像画像データを静止画像データとして記録媒体１８に記録する。その後、制御部１４は、再度、図８のステップＳ１に戻って処理を開始する。
【００８０】
以上説明した実施の形態によれば、次の作用効果が得られる。
デジタルカメラ１において、画像処理部１４ｃは、リング画像５０のカーソル５２の位置、すなわち位置選択部１４ｂによる選択位置に応じて、撮像画像に施す画像処理を変更する。また、表示制御部１４ａは、第１画像処理〜第４画像処理とは異なり且つ撮像画像に対する所定の処理用のパラメータ（設定値）を変更するためのダイヤル画像６０を表示部１７に表示する。パラメータ変更部１４ｄは、ダイヤル画像６０に対するドラッグ操作に応じて、上記パラメータ（設定値）を変更する。処理実行部１４ｅは、パラメータ変更部１４ｄにより変更されたパラメータ（設定値）を用いて上記所定の処理を行う。上記所定の処理は、位置選択部１４ｂが第０位置Ｐ０を選択している場合と、第１位置Ｐ１、第１７位置Ｐ１７、第３３位置Ｐ３３、第４９位置Ｐ４９、第６５位置Ｐ６５のいずれかを選択している場合と、第２位置〜第１６位置、第１８位置〜第３２位置、第３４位置〜第４８位置、第５０位置〜第６４位置のいずれかを選択している場合とで異ならせる。位置選択部１４ｂが第０位置Ｐ０を選択している場合には、上記所定の処理は、上述した撮影設定処理となる。位置選択部１４ｂが第１位置Ｐ１、第１７位置Ｐ１７、第３３位置Ｐ３３、第４９位置Ｐ４９、第６５位置Ｐ６５のいずれかを選択している場合には、上記所定の処理は、リング画像５０に第１画像処理〜第４画像処理として設定する画像処理を変更する処理となる。位置選択部１４ｂが、第２位置〜第１６位置、第１８位置〜第３２位置、第３４位置〜第４８位置、第５０位置〜第６４位置のいずれかを選択している場合には、上記所定の処理は、撮像画像に施す２つの画像処理の比率における変化の仕方を変更する処理となる。以上のように、デジタルカメラ１では、リング画像５０のカーソル５２の位置を移動するという簡単な操作によって、撮像画像に施す画像処理の内容を変更することができる。また、デジタルカメラ１では、ダイヤル画像６０に対する操作によって、他の設定（撮影設定の変更や、リング画像５０に設定する画像処理の変更、撮像画像に施す２つの画像処理の比率の変更など）も簡易な操作で行うことができる。さらに、ダイヤル画像６０はリング画像５０のカーソル５２の位置に応じて機能が変わるので、ユーザーは、ダイヤル画像６０を操作するだけで種々の設定を行うことができる。したがって、設定メニューが多数設けられていたり、設定メニューが階層的に設けられていたりする場合と比較して、本実施形態のデジタルカメラ１では、ダイヤル画像６０を操作するだけでよいので、ユーザーが迷うことなく簡単に種々の設定を行うことができる。
【００８１】
また、上述した特許文献１に記載の従来技術では、色々な画像効果を組み合わせて使用する場合の操作方法として、以下の方法が開示されている。デジタルカメラは、複数用意された画像効果の中から１つ以上を選択するエフェクトメニュー、または、選択した画像効果の効果レベルを調整するスライドメニューをライブビュー画像の上に表示する。デジタルカメラは、エフェクトメニューとスライドメニューで選択した画像効果をライブビュー画像に反映する。
【００８２】
しかしながら、上記従来技術では、複数の画像効果を選択する際に、どのエフェクトメニューを選択したら好みの画像処理になるかをユーザーがあらかじめ知っておかないと、ユーザー好みの画像効果を設定できないという問題がある。また、複数の画像効果レベルについても、画像効果と同様のことが言え、画像効果レベルを変えるとどの程度変化するのかをユーザーがあらかじめ知っておかないと、ユーザー好みの画像効果レベルを設定できないという問題がある。これに対して、本実施形態のデジタルカメラ１では、撮影シーンごとに、それぞれの撮影シーンに適した画像処理をリング画像５０に設定する。したがって、ユーザーは、画像処理に関する知識がなくても、撮影シーンに適した画像処理の中から所望の画像処理を選択することができる。
【００８３】
さらに、上記従来技術では、複数の画像効果はエフェクトメニューで設定できるが、画像効果レベルは１階層下のスライドメニューで設定するため、階層を移動させる操作が必要になるという問題がある。また、画像効果と画像効果レベル以外は、デジタルカメラの仕様にもよるが、別のメニューでの設定となるか、または、設定不可であるため、ユーザーの操作が煩雑になる、または、設定できないという問題がある。これに対して、本実施形態のデジタルカメラ１では、リング画像５０に加えてダイヤル画像６０を表示するようにした。そして、デジタルカメラ１では、ダイヤル画像６０に対する操作に応じて、撮影設定の変更や、リング画像５０に設定する画像処理の変更、撮像画像に施す画像処理の比率における変化の仕方の変更を行えるようにした。これにより、撮像画像に施す画像処理に加え、他の設定についても簡単な操作で行うことができる。
【００８４】
（変形例１）
たとえばリング画像５０のカーソル５２が第１位置Ｐ１にあるときに、ダイヤル画像６０の操作によって選択できる画像処理の選択肢として、第２〜第４画像処理として設定されている画像処理が含まれていてもよい。この場合、処理実行部１４ｅは、カーソル５２が第１位置Ｐ１にあるときのダイヤル画像６０に対する操作によって、第１画像処理として、現在第２画像処理として設定されている画像処理が選択された場合には、第１画像処理および第２画像処理として設定する画像処理を入れ替えるようにしてもよい。
【００８５】
たとえば、撮影シーンが「人物」と判別されたときには、リング画像５０において、第１画像処理は「ポートレート」に設定されており、第２画像処理は「モノクローム」に設定されている。この場合に、カーソル５２が第１位置Ｐ１にあるときのダイヤル画像６０に対する操作によって、第１画像処理として「モノクローム」が設定された場合には、第２画像処理を「ポートレート」に設定する。
【００８６】
なお、リング画像５０のカーソル５２が第１７位置Ｐ１７、第３３位置Ｐ３３、第４９位置Ｐ４９、第６５位置Ｐ６５にある場合も、第１位置Ｐ１の場合と同様にしてもよい。
【００８７】
（変形例２）
上述した実施の形態では、リング画像５０のカーソル５２が第１位置Ｐ１にある場合は、ダイヤル画像６０の操作によって第１画像処理のみを変更する例について説明したが、第１画像処理〜第４画像処理の全てを一度に変更するようにしてもよい。たとえば、撮影シーンが「人物」と判別されている場合には、「人物」に対応する４つの画像処理が第１画像処理〜第４画像処理として設定されている。このとき、処理実行部１４ｅは、たとえば、設定値が「＋１」のときは、第１画像処理〜第４画像処理を、撮影シーン「接写」に対応する４つの画像処理に変更する。
【００８８】
リング画像５０のカーソル５２が第１７位置Ｐ１７、第３３位置Ｐ３３、第４９位置Ｐ４９、第６５位置Ｐ６５にある場合も同様に、ダイヤル画像６０の操作によって第１画像処理〜第４画像処理の全てを一度に変更するようにしてもよい。
【００８９】
（変形例３）
リング画像５０のカーソル５２が第１７位置Ｐ１７にある場合は、ダイヤル画像６０の操作によって第２画像処理を他の画像処理に変更可能となるが、選択肢の一つとして「なし」を選択できるようにしてもよい。たとえば、処理実行部１４ｅは、ダイヤル画像６０の設定値が「＋３」のときには第２画像処理を「なし」に設定する。この設定の場合、画像処理部１４ｃは、カーソル５２が第２位置から第３２位置のいずれかにあるとき、スルー画に第１画像処理と第３画像処理を重ね掛けするようにする。また、画像処理部１４ｃは、カーソル５２が第３３位置Ｐ３３へ向かう方向に移動する場合には、第１画像処理の比率を下げると共に第３画像処理の比率を上げるように変化させ、カーソル５２が第１位置Ｐ１へ向かう方向に移動する場合には、第１画像処理の比率を上げると共に第３画像処理の比率を下げるように変化させる。
【００９０】
なお、リング画像５０のカーソル５２が第３３位置Ｐ３３、第４９位置Ｐ４９にある場合も同様に、ダイヤル画像６０において選択肢の一つとして「なし」を選択できるようにしてもよい。
【００９１】
（変形例４）
上述した実施の形態では、リング画像５０のカーソル５２が第２位置〜第１６位置のいずれかにある場合は、ダイヤル画像６０の操作によって、第１画像処理および第２画像処理の比率を変化させるための変化曲線を３種類の中から選択できる例について述べた。しかしながら、処理実行部１４ｅは、リング画像５０のカーソル５２の位置とダイヤル画像６０の設定値に応じて、上記変化曲線の形状を変更するようにしてもよい。
【００９２】
この場合、処理実行部１４ｅは、リング画像５０のカーソル５２の位置における第１画像処理と第２画像処理の比率がダイヤル画像６０の設定値に応じて上下するように、変化曲線の形状を変化させる。たとえば、上記変化曲線は、何も変更していない状態では直線形状であるとする。ここで、リング画像５０のカーソル５２が第２位置〜第１６位置のいずれかにある状態で、ダイヤル画像６０が操作されて設定値がプラスの値になったとする。すると、処理実行部１４ｅは、現在のカーソル５２の位置において上記変化曲線が直線形状であるときよりも第１画像処理の比率が所定値下がり第２画像処理の比率が所定値上がるように、上記変化曲線の形状を変化させる。このとき処理実行部１４ｅは、設定値が大きいほど比率の変化を大きくする。一方、リング画像５０のカーソル５２が第２位置〜第１６位置のいずれかにある状態で、ダイヤル画像６０が操作されて設定値がマイナスの値になったとする。すると、処理実行部１４ｅは、現在のカーソル５２の位置において上記変化曲線が直線形状であるときよりも第１画像処理の比率が所定値上がり第２画像処理の比率が所定値下がるように、上記変化曲線の形状を変化させる。このとき処理実行部１４ｅは、設定値が小さい（絶対値が大きい）ほど比率の変化を大きくする。
【００９３】
なお、リング画像５０のカーソル５２が第１８位置〜第３２位置、第３４位置〜第４８位置、第５０位置〜第６４位置にある場合についても、上述した第２位置〜第１６位置の場合と同様にしてもよい。
【００９４】
（変形例５）
上述した実施の形態では、リング画像５０のカーソル５２が第２位置〜第１６位置のいずれかにある場合は、ダイヤル画像６０の機能が、第１画像処理と第２画像処理の比率の変化の仕方を変更する機能となる例について説明した。しかしながら、ダイヤル画像６０の機能が、現在のカーソル５２の位置に応じて画像処理部１４ｃが実行する第１画像処理と第２画像処理の比率を微調整する機能となってもよい。
【００９５】
この場合、処理実行部１４ｅは、ダイヤル画像６０の設定値に応じて、現在のリング画像５０のカーソル５２の位置に隣接する位置での比率の範囲内で、第１画像処理と第２画像処理の比率を微調整する処理を行う。上述した実施の形態のように、第１位置Ｐ１から第１７位置まで１６段階で第１画像処理と第２画像処理の比率が変化する場合、たとえば、第８位置では「第１画像処理５６．２５％、第２画像処理４３．７５％」、第９位置では「第１画像処理５０％、第２画像処理５０％」、第１０位置では「第１画像処理４３．７５％、第２画像処理５６．２５％」となる。ここで、カーソル５２の位置が第９位置の場合には、ダイヤル画像６０において、「第１画像処理５６．２５％、第２画像処理４３．７５％」〜「第１画像処理４３．７５％、第２画像処理５６．２５％」の範囲内において、ダイヤル画像６０の設定値に応じて、第１画像処理と第２画像処理の比率を微調整可能とする。
【００９６】
なお、リング画像５０のカーソル５２が第１８位置〜第３２位置、第３４位置〜第４８位置、第５０位置〜第６４位置にある場合についても、上述した第２位置〜第１６位置の場合と同様にしてもよい。
【００９７】
（変形例６）
上述した実施の形態では、リング画像５０のカーソル５２が第２位置〜第１６位置のいずれかにある場合は、ダイヤル画像６０の機能が、第１画像処理と第２画像処理の比率の変化の仕方を変更する機能となる例について説明した。しかしながら、ダイヤル画像６０の機能が、第１画像処理と第２画像処理のレベルを変更する機能となるようにしてもよい。また、この場合、ダイヤルを２つ設け、第１画像処理と第２画像処理とで別々にレベルを変更できるようにしてもよい。
【００９８】
この場合、処理実行部１４ｅは、第１画像処理に対応するダイヤルの設定値に応じて、第１画像処理のレベルを変更し、第２画像処理に対応するダイヤルの設定値に応じて、第２画像処理のレベルを変更する。たとえば、ダイヤルの設定値が大きいほどレベルを大きくし、ダイヤルの設定値が小さいほどレベルを小さくする。
【００９９】
なお、第１画像処理のレベルを変更するとは、第１画像処理として設定される画像処理のレベルを変更することである。第２画像処理についても同様である。たとえば、第１画像処理が「ビビッド」に設定されている場合は、第１画像処理のレベルとは「ビビッド」処理における彩度レベルであり、第１画像処理が「トイカメラ」に設定されている場合には、第１画像処理のレベルとは「トイカメラ」処理におけるトイカメラ効果の強度である。
【０１００】
なお、リング画像５０のカーソル５２が第１８位置〜第３２位置、第３４位置〜第４８位置、第５０位置〜第６４位置にある場合についても、上述した第２位置〜第１６位置の場合と同様にしてもよい。
【０１０１】
（変形例７）
リング画像５０のカーソル５２が第１位置Ｐ１にある場合において、たとえば、第１画像処理に「セレクトカラー」が設定されている場合には、ダイヤル画像６０の機能が、「セレクトカラー」で残す特定色を変更する機能となるようにしてもよい。また、リング画像５０のカーソル５２が第１位置Ｐ１にある場合において、たとえば、第１画像処理に「クロスプロセス（Ｂ）」が設定されている場合には、ダイヤル画像６０の機能が、第１画像処理に設定する画像処理を、「クロスプロセス（Ｒ）」および「クロスプロセス（Ｇ）」のいずれかに切り替える機能となるようにしてもよい。
【０１０２】
なお、リング画像５０のカーソル５２が第１７位置Ｐ１７、第３３位置Ｐ３３、第４９位置Ｐ４９、第６５位置Ｐ６５にある場合についても、上述した第１位置Ｐ１の場合と同様にしてもよい。
【０１０３】
（変形例８）
上述した実施の形態では、リング画像５０とダイヤル画像６０とを同時に表示する例について説明したが、リング画像５０の表示とダイヤル画像６０の表示とを切り替えボタンなどで切り替えられるようにして、別々に表示させるようにしてもよい。
【０１０４】
（変形例９）
上述した実施の形態では、静止画を撮影するモードにおいて、リング画像５０によって撮像画像に施す画像処理を変更できる例について説明したが、動画を撮影するモードにおいてもリング画像５０によって撮像画像に施す画像処理を変更できるようにしてもよい。
【０１０５】
（変形例１０）
上述した実施の形態では、シャッターボタン１６ａの押下操作に応じてシャッターを切る例について説明したが、タッチパネル１６ｂに対するタッチ操作に応じてシャッターを切る、いわゆるタッチシャッターであってもよい。
【０１０６】
（変形例１１）
上述した実施の形態では、リング画像５０のカーソル５２の移動に応じて、４種類の画像処理（第１画像処理〜第４画像処理）の中から、撮像画像に施す画像処理を選択するようにした。しかしながら、リング画像５０における画像処理の選択肢の数はこれに限らなくてよく、２種類または３種類であってもよいし、５種類以上であってもよい。
【０１０７】
また、上述した実施の形態では、リング画像５０において、第０位置Ｐ０〜第６５位置Ｐ６５を選択できる例について説明したが、選択可能な位置の数はこれに限らなくてもよい。また、ダイヤル画像６０においては、「−３」〜「＋３」のいずれかを設定できる例について説明したが、設定可能な設定値の数はこれに限らなくてもよい。
【０１０８】
（変形例１２）
上述した実施の形態では、撮像画像に施す画像処理を選択するための画像として、リング画像５０を用いる例について説明した。しかしながら、リング形状に限らなくてもよく、たとえば、バー形状などであってもよい。また、カーソル５２を移動させる例について説明したが、カーソル５２を固定としてリング５１を移動させるようにしてもよい。
【０１０９】
また、上述した実施の形態では、リング画像５０のカーソル５２の位置に応じて機能が変わる画像としてダイヤル画像６０を用いる例について説明した。しかしながら、ダイヤル形状に限らなくてもよく、たとえばバー形状などであってもよい。また、ダイヤル６１を移動させる例について説明したが、ダイヤル６１を固定として矢印マーク６２を移動させるようにしてもよい。
【０１１０】
（変形例１３）
上述した実施の形態では、リング画像５０およびダイヤル画像６０に対する操作を、タッチパネル１６ｂに対するタッチ操作によって行う例について説明したが、これに限らなくてよい。たとえばロータリーマルチセレクタなどの操作部材の操作や、デジタルカメラ１の筐体を傾けるなどのアクション操作などによって行うようにしてもよい。
【０１１１】
（変形例１４）
上述した実施の形態では、デジタルカメラ１の制御部１４が不図示のメモリに記録されたプログラムを実行することで、上述した図８〜図１１の処理を行う例について説明した。このプログラムは、製品出荷時に予め記録されていてもよいし、製品出荷後、メモリカードなどの記録媒体やインターネットなどのデータ信号を通じて提供されてもよい。図１２はその様子を示す図である。デジタルカメラ１は、メモリカードなどの記録媒体１８を介してプログラムの提供を受ける。また、デジタルカメラ１は通信回線１０１との接続機能を有する。コンピュータ１０２は上記プログラムを提供するサーバコンピュータであり、ハードディスク１０３などの記録媒体にプログラムを格納する。通信回線１０１は、インターネット、パソコン通信などの通信回線、あるいは専用通信回線などである。コンピュータ１０２はハードディスク１０３を使用してプログラムを読み出し、通信回線１０１を介してプログラムをデジタルカメラ１に送信する。すなわち、プログラムをデータ信号として搬送波を介して、通信回線１０１を介して送信する。このように、プログラムは、記録媒体やデータ信号（搬送波）などの種々の形態のコンピュータ読み込み可能なコンピュータプログラム製品として供給できる。
【０１１２】
（変形例１５）
上述した実施の形態では、デジタルカメラに本発明を適用する例について説明したが、これに限らなくてよい。たとえば携帯電話機、スマートフォン、タブレット端末などに本発明を適用するようにしてもよい。
【０１１３】
上記では、種々の実施の形態および変形例を説明したが、本発明はこれらの内容に限定されるものではない。本発明の技術的思想の範囲内で考えられるその他の態様も本発明の範囲内に含まれる。
【符号の説明】
【０１１４】
１…デジタルカメラ、１１…撮像光学系、１２…撮像素子、１４…制御部、１４ａ…表示制御部、１４ｂ…位置選択部、１４ｃ…画像処理部、１４ｄ…パラメータ変更部、１４ｅ…処理実行部、１６…操作部材、１７…表示部、１８…記録媒体
【図１】
2015106743.tif 000003
【図２】
2015106743.tif 000004
【図３】
2015106743.tif 000005
【図４】
2015106743.tif 000006
【図５】
2015106743.tif 000007
【図６】
2015106743.tif 000008
【図７】
2015106743.tif 000009
【図８】
2015106743.tif 000010
【図９】
2015106743.tif 000011
【図１０】
2015106743.tif 000012
【図１１】
2015106743.tif 000013
【図１２】
2015106743.tif 000014